(57)【要約】【課題】回旋防止性に優れる歯科インプラントシステムを提供することである。【解決手段】フィクスチャー回旋防止部を有するフィクスチャー１Ａと、フィクスチャー回旋防止部に嵌合する器具回旋防止部を有するフィクスチャー埋入用器具１０１Ａと、フィクスチャー回旋防止部に嵌合するアバットメント回旋防止部を有するアバットメント１１Ａと、を備え、フィクスチャー回旋防止部に外接する外接円の半径をＤ１、器具回旋防止部に外接する外接円の半径をＤ２、アバットメント回旋防止部に外接する外接円の半径をＤ３としたとき、Ｄ１〜Ｄ３が、Ｄ１≧Ｄ２＞Ｄ３またはＤ１≧Ｄ３＞Ｄ２の関係を有する、歯科インプラントシステム１００である。【選択図】図１
2015188481.tif 000002
【特許請求の範囲】
【請求項１】
略円柱状のフィクスチャー本体部、前記フィクスチャー本体部の上面に位置している凹部、および前記凹部の内壁部に位置しているフィクスチャー回旋防止部を有する歯科インプラント用フィクスチャーと、
略棒状の器具本体部および前記器具本体部の先端部に位置しており前記フィクスチャー回旋防止部に嵌合する器具回旋防止部を有するフィクスチャー埋入用器具と、
アバットメント本体部および前記アバットメント本体部の下面に位置しており前記フィクスチャー回旋防止部に嵌合するアバットメント回旋防止部を有するアバットメントと、を備え、
前記フィクスチャー回旋防止部に外接する外接円の半径をＤ１、前記器具回旋防止部に外接する外接円の半径をＤ２、前記アバットメント回旋防止部に外接する外接円の半径をＤ３としたとき、前記Ｄ１〜前記Ｄ３が、Ｄ１≧Ｄ２＞Ｄ３またはＤ１≧Ｄ３＞Ｄ２の関係を有する、歯科インプラントシステム。
【請求項２】
前記Ｄ１〜前記Ｄ３が、Ｄ１≧Ｄ２＞Ｄ３の関係を有する、請求項１に記載の歯科インプラントシステム。
【請求項３】
前記フィクスチャー回旋防止部、前記器具回旋防止部および前記アバットメント回旋防止部のそれぞれの形状が、略多角形状および曲線状から選ばれる１種である、請求項１または２に記載の歯科インプラントシステム。
【請求項４】
前記フィクスチャー回旋防止部、前記器具回旋防止部および前記アバットメント回旋防止部のそれぞれの形状が、略正多角形状であり、
前記器具回旋防止部および前記アバットメント回旋防止部のうち一方の頂部をＲ付けまたは面取りしている、請求項１または２に記載の歯科インプラントシステム。
【請求項５】
前記フィクスチャー回旋防止部および前記器具回旋防止部のそれぞれの形状が、正多角形状であり、
前記アバットメント回旋防止部の形状が、頂部をＲ付けまたは面取りした略正多角形状である、請求項２に記載の歯科インプラントシステム。
【請求項６】
前記フィクスチャー回旋防止部、前記器具回旋防止部および前記アバットメント回旋防止部のそれぞれの形状が、外方に凸の曲線状壁部と内方に凸の曲線状壁部とを交互に接続してなる曲線状である、請求項１または２に記載の歯科インプラントシステム。
【請求項７】
前記器具回旋防止部における前記外方に凸の曲線状壁部の曲率半径と、前記アバットメント回旋防止部における前記外方に凸の曲線状壁部の曲率半径とが、互いに異なっている、請求項６に記載の歯科インプラントシステム。
【請求項８】
前記器具回旋防止部における前記外方に凸の曲線状壁部の曲率半径が、前記アバットメント回旋防止部における前記外方に凸の曲線状壁部の曲率半径よりも小さい、請求項６または７に記載の歯科インプラントシステム。
【請求項９】
前記器具回旋防止部における前記外方に凸の曲線状壁部の曲率半径が、前記フィクスチャー回旋防止部における前記外方に凸の曲線状壁部の曲率半径よりも小さい、請求項６〜８のいずれかに記載の歯科インプラントシステム。
【請求項１０】
前記外方に凸の曲線状壁部の個数および前記内方に凸の曲線状壁部の個数がいずれも、６個である、請求項６〜９のいずれかに記載の歯科インプラントシステム。
【請求項１１】
前記歯科インプラント用フィクスチャーは、前記内壁部のうち前記フィクスチャー回旋防止部よりも前記上面側に位置しており前記上面側から前記フィクスチャー回旋防止部側に向かうにつれて縮径する円錐台状の上内壁部をさらに有し、
前記アバットメントは、前記アバットメント本体部の外周部のうち前記下面側に位置しており前記上内壁部にテーパ嵌合可能なテーパ領域をさらに有する、請求項１〜１０のいずれかに記載の歯科インプラントシステム。
【発明の詳細な説明】
【技術分野】
【０００１】
本発明は、歯科インプラント用フィクスチャー、フィクスチャー埋入用器具およびアバットメントを備える歯科インプラントシステムに関する。
【背景技術】
【０００２】
従来から、歯科インプラント用フィクスチャー（以下、「フィクスチャー」と言うことがある。）を上下顎骨の歯槽骨に埋入することによって、咬合機能、発声機能および審美性等を回復させる歯科インプラント埋植手術が行われている。歯科インプラント埋植手術では、上述したフィクスチャーに加えて、フィクスチャー埋入用器具（以下、「器具」と言うことがある。）およびアバットメントを備える歯科インプラントシステムが使用される（例えば、特許文献１参照）。
【０００３】
器具は、フィクスチャー埋入時に使用される部材であり、アバットメントは、フィクスチャーに組み合わされてインプラントを構成する部材である。両部材はいずれも、フィクスチャーの所定部位に形成された回旋防止部に嵌合して回旋を防止した状態で使用される。
【０００４】
ところで、フィクスチャーは、器具を使用して通常２０〜３０Ｎｃｍの埋入トルクで歯槽骨に埋入されるが、骨組織の硬さは患者の個人差や疾患等によって様々であり、１００〜１５０Ｎｃｍの大きなトルクが発生する場合もある。それゆえ、器具を使用してフィクスチャーを埋入するとき、フィクスチャーの回旋防止部が破損または変形することがあった。
【０００５】
また、歯槽骨にフィクスチャーを埋入して骨組織がリモデリングする一定期間経過後、フィクスチャーにアバットメントを取り付けて上部構造を築造し、歯の本来の機能を回復させるが、このような長期間の臨床使用中に、骨吸収や咬合力の繰り返し作用によってインプラントに大きなモーメントが発生し、その結果、フィクスチャー埋入時と同様に、フィクスチャーの回旋防止部に大きな応力が発生することが知られている。フィクスチャー埋入時の大きなトルクによってフィクスチャーの回旋防止部が変形または破損して回旋防止性が低下していると、臨床使用中に発生する大きな応力によってアバットメントおよびフィクスチャーの間で微小な動き、すなわちマイクロムーブメントが発生する。そして、マイクロムーブメントの繰返し作用によって回旋防止が破綻し、アバットメントの変形やアバットメントとフィクスチャーとの接触部位に摩耗が発生することがあった。
【先行技術文献】
【特許文献】
【０００６】
【特許文献１】特許第４８１８５９８号公報
【発明の概要】
【発明が解決しようとする課題】
【０００７】
本発明の課題は、回旋防止性に優れる歯科インプラントシステムを提供することである。
【課題を解決するための手段】
【０００８】
本発明者らは、上記課題を解決すべく鋭意研究を重ねた結果、以下の構成からなる解決手段を見出し、本発明を完成するに至った。
（１）略円柱状のフィクスチャー本体部、前記フィクスチャー本体部の上面に位置している凹部、および前記凹部の内壁部に位置しているフィクスチャー回旋防止部を有する歯科インプラント用フィクスチャーと、略棒状の器具本体部および前記器具本体部の先端部に位置しており前記フィクスチャー回旋防止部に嵌合する器具回旋防止部を有するフィクスチャー埋入用器具と、アバットメント本体部および前記アバットメント本体部の下面に位置しており前記フィクスチャー回旋防止部に嵌合するアバットメント回旋防止部を有するアバットメントと、を備え、前記フィクスチャー回旋防止部に外接する外接円の半径をＤ１、前記器具回旋防止部に外接する外接円の半径をＤ２、前記アバットメント回旋防止部に外接する外接円の半径をＤ３としたとき、前記Ｄ１〜前記Ｄ３が、Ｄ１≧Ｄ２＞Ｄ３またはＤ１≧Ｄ３＞Ｄ２の関係を有する、歯科インプラントシステム。
（２）前記Ｄ１〜前記Ｄ３が、Ｄ１≧Ｄ２＞Ｄ３の関係を有する、前記（１）に記載の歯科インプラントシステム。
（３）前記フィクスチャー回旋防止部、前記器具回旋防止部および前記アバットメント回旋防止部のそれぞれの形状が、略多角形状および曲線状から選ばれる１種である、前記（１）または（２）に記載の歯科インプラントシステム。
（４）前記フィクスチャー回旋防止部、前記器具回旋防止部および前記アバットメント回旋防止部のそれぞれの形状が、略正多角形状であり、前記器具回旋防止部および前記アバットメント回旋防止部のうち一方の頂部をＲ付けまたは面取りしている、前記（１）または（２）に記載の歯科インプラントシステム。
（５）前記フィクスチャー回旋防止部および前記器具回旋防止部のそれぞれの形状が、正多角形状であり、前記アバットメント回旋防止部の形状が、頂部をＲ付けまたは面取りした略正多角形状である、前記（２）に記載の歯科インプラントシステム。
（６）前記フィクスチャー回旋防止部、前記器具回旋防止部および前記アバットメント回旋防止部のそれぞれの形状が、外方に凸の曲線状壁部と内方に凸の曲線状壁部とを交互に接続してなる曲線状である、前記（１）または（２）に記載の歯科インプラントシステム。
（７）前記器具回旋防止部における前記外方に凸の曲線状壁部の曲率半径と、前記アバットメント回旋防止部における前記外方に凸の曲線状壁部の曲率半径とが、互いに異なっている、前記（６）に記載の歯科インプラントシステム。
（８）前記器具回旋防止部における前記外方に凸の曲線状壁部の曲率半径が、前記アバットメント回旋防止部における前記外方に凸の曲線状壁部の曲率半径よりも小さい、前記（６）または（７）に記載の歯科インプラントシステム。
（９）前記器具回旋防止部における前記外方に凸の曲線状壁部の曲率半径が、前記フィクスチャー回旋防止部における前記外方に凸の曲線状壁部の曲率半径よりも小さい、前記（６）〜（８）のいずれかに記載の歯科インプラントシステム。
（１０）前記外方に凸の曲線状壁部の個数および前記内方に凸の曲線状壁部の個数がいずれも、６個である、前記（６）〜（９）のいずれかに記載の歯科インプラントシステム。
（１１）前記歯科インプラント用フィクスチャーは、前記内壁部のうち前記フィクスチャー回旋防止部よりも前記上面側に位置しており前記上面側から前記フィクスチャー回旋防止部側に向かうにつれて縮径する円錐台状の上内壁部をさらに有し、前記アバットメントは、前記アバットメント本体部の外周部のうち前記下面側に位置しており前記上内壁部にテーパ嵌合可能なテーパ領域をさらに有する、前記（１）〜（１０）のいずれかに記載の歯科インプラントシステム。
【発明の効果】
【０００９】
本発明によれば、優れた回旋防止性を発揮することができるという効果がある。
【図面の簡単な説明】
【００１０】
【図１】本発明の一実施形態に係る歯科インプラントシステムを示す概略説明図である。
【図２】図１に示す歯科インプラントシステムが備える歯科インプラント用フィクスチャーおよびアバットメントを互いに組み合わせた状態を拡大して示す縦断面図である。
【図３】図１に示す歯科インプラントシステムが備える歯科インプラント用フィクスチャーを拡大して示す図であり、（ａ）は縦断面図、（ｂ）は（ａ）のａ矢視拡大平面図（上面視図）である。
【図４】図１に示す歯科インプラントシステムが備えるフィクスチャー埋入用器具を拡大して示す図であり、（ａ）は側面図、（ｂ）は（ａ）のｂ矢視拡大底面図（先端視図）である。
【図５】図１に示す歯科インプラントシステムが備えるアバットメントを拡大して示す図であり、（ａ）は縦断面図、（ｂ）は（ａ）のｃ矢視拡大底面図（下面視図）である。
【図６】図１に示す歯科インプラントシステムが備える歯科インプラント用フィクスチャー、フィクスチャー埋入用器具およびアバットメントにおける各回旋防止部を拡大して示す図であり、（ａ）はフィクスチャー回旋防止部の概略平面図（上面視図）、（ｂ）は器具回旋防止部の平面図（先端視図）、（ｃ）はアバットメント回旋防止部の概略平面図（下面視図）である。
【図７】図６に示す各回旋防止部の嵌合状態を示す図であり、（ａ）はフィクスチャー回旋防止部および器具回旋防止部の嵌合状態を示す概略説明図、（ｂ）はフィクスチャー回旋防止部およびアバットメント回旋防止部の嵌合状態を示す概略説明図である。
【図８】本発明の他の実施形態に係る歯科インプラントシステムが備える歯科インプラント用フィクスチャー、フィクスチャー埋入用器具およびアバットメントにおける各回旋防止部を拡大して示す図であり、（ａ）はフィクスチャー回旋防止部の概略平面図（上面視図）、（ｂ）は器具回旋防止部の平面図（先端視図）、（ｃ）はアバットメント回旋防止部の概略平面図（下面視図）である。
【図９】図８に示す各回旋防止部の嵌合状態を示す図であり、（ａ）はフィクスチャー回旋防止部および器具回旋防止部の嵌合状態を示す概略説明図、（ｂ）はフィクスチャー回旋防止部およびアバットメント回旋防止部の嵌合状態を示す概略説明図である。
【発明を実施するための形態】
【００１１】
＜歯科インプラントシステム＞
以下、本発明の一実施形態に係る歯科インプラントシステムについて、図１〜図７を参照して詳細に説明する。
【００１２】
図１に示すように、本実施形態の歯科インプラントシステム１００は、フィクスチャー１Ａと、器具１０１Ａと、アバットメント１１Ａと、を備えている。以下、歯科インプラントシステム１００の各構成部材について、順に説明する。
【００１３】
（歯科インプラント用フィクスチャー）
フィクスチャー１Ａは、図２に示すように、アバットメント１１Ａと組み合わされて後述する歯科インプラント１０を構成する部材である。本実施形態のフィクスチャー１Ａは、図３（ａ）に示すように、略円柱状のフィクスチャー本体部２を有する。本実施形態のフィクスチャー本体部２は、その外周部に位置しているネジ部２１を有する。このような構成によれば、歯槽骨にフィクスチャー１Ａをセルフタップで螺入しつつ埋入することができる。
【００１４】
また、本実施形態のフィクスチャー本体部２は、その上端部に位置している上面２２をさらに有する。本実施形態の上面２２は、フィクスチャー１Ａを歯槽骨に埋入したとき、患者の口腔内側に位置する面であり、アバットメント１１Ａが取り付けられる面である。
【００１５】
本実施形態のフィクスチャー１Ａは、フィクスチャー本体部２の上面２２に位置している凹部３をさらに有する。本実施形態の凹部３は、略円筒状の内壁部３１を有する。本実施形態の内壁部３１は、上面２２側から順に上内壁部３１ａ、段差部３１ｂおよび下内壁部３１ｃを有する。
【００１６】
本実施形態の上内壁部３１ａは、後述するフィクスチャー回旋防止部４Ａよりも上面２２側に位置しており、上面２２側からフィクスチャー回旋防止部４Ａ側に向かうにつれて縮径する円錐台状に構成されている。より具体的には、本実施形態の上内壁部３１ａは、図２に示すように、後述するアバットメント１１Ａのテーパ領域１５とテーパ嵌合可能なテーパ状に構成されている。このような構成によれば、上内壁部３１ａにアバットメント１１Ａのテーパ領域１５をテーパ嵌合させてアバットメント１１Ａをフィクスチャー１Ａに固定することができる。
【００１７】
本実施形態の段差部３１ｂは、図３（ａ）に示すように、上内壁部３１ａおよび下内壁部３１ｃを互いに接続している部位である。本実施形態の下内壁部３１ｃは、後述するフィクスチャー回旋防止部４Ａが位置している部位である。
【００１８】
本実施形態の凹部３は、その底部に位置しているネジ孔３２をさらに有する。本実施形態では、図１および図２に示すように、アバットメント１１Ａの取り付けを、ネジ孔３２に後述するアバットメントスクリュー１６の先端部を螺合することによって行う。
【００１９】
本実施形態のフィクスチャー１Ａは、図３（ａ）に示すように、内壁部３１に位置しているフィクスチャー回旋防止部４Ａをさらに有する。本実施形態のフィクスチャー回旋防止部４Ａは、内壁部３１のうち下内壁部３１ｃに位置している。フィクスチャー回旋防止部４Ａは、後述する図４（ａ）に示す器具回旋防止部１０４Ａ、および図５（ａ）に示すアバットメント回旋防止部１４Ａがそれぞれ嵌合し、器具１０１Ａおよびアバットメント１１Ａがフィクスチャー１Ａに対して回旋するのを防止する部位である。
【００２０】
（フィクスチャー埋入用器具）
器具１０１Ａは、フィクスチャー１Ａを歯槽骨に埋入するときに使用する部材である。器具１０１Ａとしては、例えばドライバー等が挙げられる。本実施形態の器具１０１Ａは、図４（ａ）に示すように、略棒状の器具本体部１０２と、器具本体部１０２の先端部１０３に位置している器具回旋防止部１０４Ａと、を有する。
【００２１】
器具回旋防止部１０４Ａは、上述したフィクスチャー回旋防止部４Ａに嵌合する部位である。本実施形態では、器具回旋防止部１０４Ａをフィクスチャー回旋防止部４Ａに嵌合し、手動または電動による器具１０１Ａの回転トルクをフィクスチャー１Ａに伝達し、フィクスチャー１Ａを歯槽骨に埋入する。
【００２２】
本実施形態の器具回旋防止部１０４Ａは、先端部１０３から略角柱状に突出している部位である。また、本実施形態の器具回旋防止部１０４Ａは、フィクスチャー回旋防止部４Ａにスムーズに嵌合するため、その全体のサイズが、フィクスチャー回旋防止部４Ａよりも若干小さく構成されている。
【００２３】
（アバットメント）
アバットメント１１Ａは、フィクスチャー１Ａの上述した凹部３を介してフィクスチャー１Ａに取り付けられ、後述する人工歯とフィクスチャー１Ａとを連結する部材である。本実施形態のアバットメント１１Ａは、図５（ａ）に示すように、アバットメント本体部１２を有する。本実施形態のアバットメント本体部１２は、略円筒状であり、その下端部に位置している下面１３を有する。本実施形態の下面１３は、アバットメント１１Ａをフィクスチャー１Ａに取り付けたとき、フィクスチャー１Ａ側に位置する面である。
【００２４】
本実施形態のアバットメント１１Ａは、アバットメント本体部１２の外周部のうち下面１３側に位置しているテーパ領域１５と、アバットメント本体部１２の下面１３に位置しているアバットメント回旋防止部１４Ａと、をさらに有する。テーパ領域１５は、上述したフィクスチャー１Ａにおける上内壁部３１ａにテーパ嵌合可能に構成されている。アバットメント回旋防止部１４Ａは、上述したフィクスチャー回旋防止部４Ａに嵌合する部位である。本実施形態では、テーパ領域１５を上内壁部３１ａにテーパ嵌合し、アバットメント回旋防止部１４Ａをフィクスチャー回旋防止部４Ａに嵌合し、さらにアバットメントスクリュー１６で締め付けた状態で、アバットメント１１Ａをフィクスチャー１Ａとともに臨床使用する。
【００２５】
本実施形態のアバットメント回旋防止部１４Ａは、下面１３から下方に略円筒状に延びている部位である。また、本実施形態のアバットメント回旋防止部１４Ａは、フィクスチャー回旋防止部４Ａにスムーズに嵌合するため、その全体のサイズが、フィクスチャー回旋防止部４Ａよりも若干小さく構成されている。
【００２６】
ここで、本実施形態では、図６に示すように、上述したフィクスチャー回旋防止部４Ａ、器具回旋防止部１０４Ａおよびアバットメント回旋防止部１４Ａのそれぞれの形状が、略多角形状である。具体的に説明すると、本実施形態においてフィクスチャー回旋防止部４Ａの形状とは、上面視における形状のことを意味するものとする。上面視とは、図３（ｂ）に示すように、上面２２側からフィクスチャー１Ａを見た状態を意味するものとする。また、本実施形態において器具回旋防止部１０４Ａの形状とは、先端視における形状のことを意味するものとする。先端視とは、図４（ｂ）に示すように、先端部１０３側から器具１０１Ａを見た状態を意味するものとする。本実施形態においてアバットメント回旋防止部１４Ａの形状とは、下面視における形状のことを意味するものとする。下面視とは、図５（ｂ）に示すように、下面１３側からアバットメント１１Ａを見た状態を意味するものとする。
【００２７】
本実施形態では、上述のとおり、各回旋防止部４Ａ，１０４Ａ，１４Ａの形状が略多角形状であるが、その具体的な形状は特に限定されるものではなく、例えば四角形、六角形、八角形等の当業者が通常各回旋防止部４Ａ，１０４Ａ，１４Ａに使用する形状であればよく、複数の多角形が組み合わされた形状であってもよい。
【００２８】
また、各回旋防止部４Ａ，１０４Ａ，１４Ａのそれぞれの形状は、略正多角形状であるのが好ましい。略正多角形状とは、正多角形状をも含む概念である。本実施形態では、図６（ａ），（ｂ）に示すように、フィクスチャー回旋防止部４Ａおよび器具回旋防止部１０４Ａのそれぞれの形状が正六角形状（正多角形状）であり、図６（ｃ）に示すように、アバットメント回旋防止部１４Ａの形状が頂部１４０をＲ付けした略正六角形状（略正多角形状）である。
【００２９】
そして、本実施形態では、フィクスチャー回旋防止部４Ａに外接する外接円Ｃ１の半径をＤ１、器具回旋防止部１０４Ａに外接する外接円Ｃ２の半径をＤ２、アバットメント回旋防止部１４Ａに外接する外接円Ｃ３の半径をＤ３としたとき、Ｄ１〜Ｄ３が、Ｄ１＞Ｄ２＞Ｄ３の関係を有する。このような構成によれば、以下のような優れた回旋防止性を発揮することができる。
【００３０】
すなわち、本実施形態の器具回旋防止部１０４Ａおよびアバットメント回旋防止部１４Ａはいずれも、上述のとおり、フィクスチャー回旋防止部４Ａへの嵌合をスムーズにするうえで、その全体のサイズをフィクスチャー回旋防止部４Ａよりも若干小さく構成している。したがって、本実施形態では、図７に示すように、器具回旋防止部１０４Ａおよびアバットメント回旋防止部１４Ａがそれぞれ、フィクスチャー回旋防止部４Ａに嵌合したとき、両者の間に若干の隙間が存在する。
【００３１】
本実施形態では、この隙間に応じて、各回旋防止部１０４Ａ，１４Ａが実使用上問題のない範囲でフィクスチャー回旋防止部４Ａに対して若干回旋する。そして、本実施形態では、Ｄ１〜Ｄ３が上述した関係を有することから、器具回旋防止部１０４Ａが若干回旋したときにフィクスチャー回旋防止部４Ａに接触する位置と、アバットメント回旋防止部１４Ａが若干回旋したときにフィクスチャー回旋防止部４Ａに接触する位置とを、互いに異ならせることができる。したがって、器具１０１Ａを使用してフィクスチャー１Ａを埋入するときに発生する大きなトルクによって、器具回旋防止部１０４Ａとフィクスチャー回旋防止部４Ａとの接触位置が変形または破損したとしても、アバットメント回旋防止部１４Ａとフィクスチャー回旋防止部４Ａとの接触位置は変形または破損していないことから、アバットメント１１Ａをフィクスチャー１Ａに取り付けたときには、変形または破損していない接触位置によってアバットメント１１Ａがフィクスチャー１Ａに対して回旋するのを防止することができ、結果として長期臨床使用において優れた機械的安定性を発揮することが可能となる。
【００３２】
なお、フィクスチャー回旋防止部４Ａに外接する外接円Ｃ１とは、上面視において、フィクスチャー回旋防止部４Ａを全て含む最小円のことを意味するものとする。同様に、器具回旋防止部１０４Ａに外接する外接円Ｃ２とは、先端視において、器具回旋防止部１０４Ａを全て含む最小円のことを意味するものとする。アバットメント回旋防止部１４Ａに外接する外接円Ｃ３とは、下面視において、アバットメント回旋防止部１４Ａを全て含む最小円のことを意味するものとする。
【００３３】
本実施形態では、器具回旋防止部１０４Ａおよびアバットメント回旋防止部１４Ａがそれぞれ若干回旋してフィクスチャー回旋防止部４Ａに接触したときに発生する応力をバランスよく分散させる観点から、フィクスチャー１Ａが次のような構成を有する。すなわち、図３（ｂ）に示すように、フィクスチャー回旋防止部４Ａに外接する外接円Ｃ１の中心Ｓ１が、フィクスチャー本体部２の中心軸Ｏ１上に位置している。フィクスチャー本体部２の中心軸Ｏ１とは、図３（ａ）に示すように、フィクスチャー本体部２の先端部２３および上面２２を貫く軸であり、図３（ｂ）に示す上面視において、フィクスチャー１Ａを回転させたときに回転軸となる軸を意味するものとする。
【００３４】
また、上述した応力をバランスよく分散させる観点から、本実施形態では、器具１０１Ａおよびアバットメント１１Ａがフィクスチャー１Ａと同様の構成を有する。すなわち、図４（ｂ）に示すように、器具回旋防止部１０４Ａに外接する外接円Ｃ２の中心Ｓ２が、器具本体部１０２の中心軸Ｏ２上に位置している。図５（ｂ）に示すように、アバットメント回旋防止部１４Ａに外接する外接円Ｃ３の中心Ｓ３が、アバットメント本体部１２の中心軸Ｏ３上に位置している。なお、器具本体部１０２の中心軸Ｏ２およびアバットメント本体部１２の中心軸Ｏ３はいずれも、上述したフィクスチャー本体部２の中心軸Ｏ１と同様に規定される。
【００３５】
次に、本発明の他の実施形態に係る歯科インプラントシステムについて、図８および図９を参照して詳細に説明する。なお、図８および図９においては、上述した図１〜図７と同一の構成部分には同一の符号を付して説明は省略する場合がある。
【００３６】
本実施形態の歯科インプラントシステム１００は、図８に示すように、フィクスチャー回旋防止部４Ｂ、器具回旋防止部１０４Ｂおよびアバットメント回旋防止部１４Ｂのそれぞれの形状が、上述した一実施形態と異なっている。具体的に説明すると、本実施形態では、フィクスチャー１Ｂが有するフィクスチャー回旋防止部４Ｂ、器具１０１Ｂが有する器具回旋防止部１０４Ｂ、およびアバットメント１１Ｂが有するアバットメント回旋防止部１４Ｂのそれぞれの形状が、曲線状である。
【００３７】
本実施形態では、図８（ａ）に示すように、フィクスチャー回旋防止部４Ｂの形状が、外方に凸の曲線状壁部４１と，内方に凸の曲線状壁部４２とを交互に接続してなる曲線状である。同様に、図８（ｂ）に示すように、器具回旋防止部１０４Ｂの形状が、外方に凸の曲線状壁部１０４１と、内方に凸の曲線状壁部１０４２とを交互に接続してなる曲線状である。図８（ｃ）に示すように、アバットメント回旋防止部１４Ｂの形状が、外方に凸の曲線状壁部１４１と、内方に凸の曲線状壁部１４２とを交互に接続してなる曲線状である。
【００３８】
そして、本実施形態では、フィクスチャー回旋防止部４Ｂに外接する外接円Ｃ１の半径をＤ１、器具回旋防止部１０４Ｂに外接する外接円Ｃ２の半径をＤ２、アバットメント回旋防止部１４Ｂに外接する外接円Ｃ３の半径をＤ３としたとき、Ｄ１〜Ｄ３が、Ｄ１＝Ｄ２＞Ｄ３の関係を有する。このような構成によっても、図９に示すように、器具回旋防止部１０４Ｂが若干回旋したときにフィクスチャー回旋防止部４Ｂに接触する位置と、アバットメント回旋防止部１４Ｂが若干回旋したときにフィクスチャー回旋防止部４Ｂに接触する位置とを互いに異ならせることができ、それゆえ優れた回旋防止性を発揮することができる。
【００３９】
本実施形態では、器具回旋防止部１０４Ｂおよびアバットメント回旋防止部１４Ｂがそれぞれ若干回旋してフィクスチャー回旋防止部４Ｂに接触したときに発生する応力をバランスよく分散させる観点から、次のような構成を有する。すなわち、器具回旋防止部１０４Ｂにおける外方に凸の曲線状壁部１０４１の曲率半径と、アバットメント回旋防止部１４Ｂにおける外方に凸の曲線状壁部１４１の曲率半径とが、互いに異なっている。器具回旋防止部１０４Ｂにおける外方に凸の曲線状壁部１０４１の曲率半径が、アバットメント回旋防止部１４Ｂにおける外方に凸の曲線状壁部１４１の曲率半径よりも小さい。器具回旋防止部１０４Ｂにおける外方に凸の曲線状壁部１０４１の曲率半径が、フィクスチャー回旋防止部４Ｂにおける外方に凸の曲線状壁部４１の曲率半径よりも小さい。本実施形態ではさらに、アバットメント回旋防止部１４Ｂにおける外方に凸の曲線状壁部１４１の曲率半径が、フィクスチャー回旋防止部４Ｂにおける外方に凸の曲線状壁部４１の曲率半径よりも大きく構成されている。
【００４０】
本実施形態では、図８に示すように、外方に凸の曲線状壁部４１，１０４１，１４１の個数、および内方に凸の曲線状壁部４２，１０４２，１４２の個数がいずれも、６個である。したがって、本実施形態では、各回旋防止部４Ｂ，１０４Ｂ，１４Ｂのそれぞれの形状が、いわゆるヘックスローブである。
その他の構成は、上述した一実施形態に係るフィクスチャー１Ａ、器具１０１Ａおよびアバットメント１１Ａを備える歯科インプラントシステム１００と同様であるので、説明を省略する。
【００４１】
＜歯科インプラント埋植手術＞
次に、本発明の一実施形態に係る歯科インプラント埋植手術について、上述したフィクスチャー１Ａ、器具１０１Ａおよびアバットメント１１Ａを備える歯科インプラントシステム１００を使用する場合を例にとって、詳細に説明する。
【００４２】
まず、歯肉および顎骨の歯槽骨にドリル等によって埋入孔を穿孔する。次に、穿孔した埋入孔にフィクスチャー１Ａを埋入する。本実施形態では、フィクスチャー１Ａを埋入孔に埋入するときに器具１０１Ａを使用する。すなわち、器具回旋防止部１０４Ａがフィクスチャー回旋防止部４Ａに嵌合するように、器具１０１Ａをフィクスチャー１Ａに取り付けて、フィクスチャー１Ａを埋入孔に埋入する。このとき、本実施形態によれば、器具回旋防止部１０４Ａがフィクスチャー回旋防止部４Ａに嵌合していることから、フィクスチャー埋入時に器具１０１Ａが回旋するのを防止しつつフィクスチャー１Ａを埋入孔に埋入することができる。
【００４３】
フィクスチャー１Ａを埋入孔に埋入した後、器具１０１Ａをフィクスチャー１Ａから取り外し、フィクスチャー１Ａにアバットメント１１Ａを取り付ける。具体的には、アバットメント回旋防止部１４Ａがフィクスチャー回旋防止部４Ａに嵌合するように、アバットメント１１Ａをフィクスチャー１Ａに取り付ける。このとき、本実施形態によれば、フィクスチャー埋入時の大きなトルクによって器具回旋防止部１０４Ａとフィクスチャー回旋防止部４Ａとの接触位置が変形または破損していたとしても、アバットメント回旋防止部１４Ａとフィクスチャー回旋防止部４Ａとの接触位置は変形または破損していないことから、臨床使用中に発生する大きな応力によってアバットメント１１Ａが回旋するのを防止することができる。
【００４４】
アバットメント回旋防止部１４Ａをフィクスチャー回旋防止部４Ａに嵌合させた後、アバットメントスクリュー１６の先端部をネジ孔３２に螺合することによって、アバットメント１１Ａとフィクスチャー１Ａとを締め付ける（図２参照）。そして、アバットメント１１Ａに図示しない人工歯を取り付けて歯科インプラント１０とし、治療を終了する。人工歯は、歯牙を形成する上部構造部品である。人工歯としては、金属製またはセラミック製のものが挙げられる。人工歯は、単独型であってもよいし、連結型（ブリッジ）であってもよい。
【００４５】
なお、本実施形態では、フィクスチャー１Ａ、器具１０１Ａおよびアバットメント１１Ａを備える歯科インプラントシステム１００を使用する場合を例にとって説明したが、これに代えて、フィクスチャー１Ｂ、器具１０１Ｂおよびアバットメント１１Ｂを備える歯科インプラントシステム１００を使用しても同様の効果が得られる。
【００４６】
以上、本発明に係るいくつかの実施形態について例示したが、本発明は上述した実施形態に限定されるものではなく、本発明の要旨を逸脱しない限り任意のものとすることができることは言うまでもない。
【００４７】
例えば上述した実施形態では、Ｄ１〜Ｄ３が、Ｄ１≧Ｄ２＞Ｄ３の関係を有するが、これに代えて、Ｄ１〜Ｄ３が、Ｄ１≧Ｄ３＞Ｄ２の関係を有するように構成することができる。
【００４８】
また、上述した一実施形態では、アバットメント回旋防止部１４Ａを、その頂部１４０をＲ付けすることによって略正多角形状にしているが、これに代えて、頂部１４０を面取りすることによってアバットメント回旋防止部１４Ａを略正多角形状にすることができる。
【００４９】
上述した一実施形態では、アバットメント回旋防止部１４Ａを略正多角形状にしているが、これに代えて、器具回旋防止部１０４Ａを、その頂部をＲ付けまたは面取りすることによって略正多角形状にし、アバットメント回旋防止部１４Ａを正多角形状にすることができる。
【００５０】
上述した実施形態では、各回旋防止部の形状が、略多角形状および曲線状から選ばれる１種であるが、各回旋防止部の形状は、Ｄ１〜Ｄ３が上述した関係を有する限り、上述した形状に限定されるものではない。例えば、各回旋防止部の形状を、略多角形状および曲線状が互いに組み合わされた形状等にすることができる。
【符号の説明】
【００５１】
１Ａ，１Ｂ  歯科インプラント用フィクスチャー
２  フィクスチャー本体部
２１  ネジ部
２２  上面
３  凹部
３１  内壁部
３１ａ  上内壁部
３１ｂ  段差部
３１ｃ  下内壁部
３２  ネジ孔
４Ａ，４Ｂ  フィクスチャー回旋防止部
４１  外方に凸の曲線状壁部
４２  内方に凸の曲線状壁部
１０  歯科インプラント
１１Ａ  アバットメント
１２  アバットメント本体部
１３  下面
１４Ａ，１４Ｂ  アバットメント回旋防止部
１４０  頂部
１４１  外方に凸の曲線状壁部
１４２  内方に凸の曲線状壁部
１５  テーパ領域
１６  アバットメントスクリュー
１００  歯科インプラントシステム
１０１Ａ，１０１Ｂ  フィクスチャー埋入用器具
１０２  器具本体部
１０３  先端部
１０４Ａ，１０４Ｂ  器具回旋防止部
１０４１  外方に凸の曲線状壁部
１０４２  内方に凸の曲線状壁部
【図１】
2015188481.tif 000003
【図２】
2015188481.tif 000004
【図３】
2015188481.tif 000005
【図４】
2015188481.tif 000006
【図５】
2015188481.tif 000007
【図６】
2015188481.tif 000008
【図７】
2015188481.tif 000009
【図８】
2015188481.tif 000010
【図９】
2015188481.tif 000011